【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
受け取った画像及びしきい画像から第１画像及び第２画像を生成する方法であって、
前記受け取った画像及び前記しきい画像のそれぞれの画素値に基づいて上境界画像及び下境界画像を決定することと、
前記上境界画像、前記下境界画像、前記受け取った画像、及び前記しきい画像を使用することにより前記第１画像及び前記第２画像を生成することであって、前記第１画像は、前記第２画像とは異なる空間周波数を有することと、
前記第１画像を第１プロジェクタにより表面に投影することと、
前記第２画像を第２プロジェクタにより前記表面に投影することと、
前記第１プロジェクタと前記第２プロジェクタとの照明をバランスさせることであって、前記第１画像及び前記第２画像は、少なくとも部分的に倍率による影響を受けることと
を含む方法。
【請求項２】
前記第１画像及び前記第２画像を生成することはさらに、前記上境界画像、前記下境界画像、前記受け取った画像、及び前記しきい画像と組み合わせて平滑化フィルタプロセスを使用することを含み、
前記第１画像は、前記平滑化フィルタプロセスに基づいて前記第２画像とは異なる空間周波数を有する、請求項１に記載の方法。
【請求項３】
前記倍率は前記平滑化フィルタプロセスの中でもたらされる、請求項２に記載の方法。
【請求項４】
前記平滑化フィルタプロセスは、
（ｉ）前記上境界画像及び前記下境界画像を受け取ることと、
（ｉｉ）前記下境界画像の各画素へのぼかし操作の前に膨張操作を行うことと
を含む、請求項２に記載の方法。
【請求項５】
前記平滑化フィルタプロセスは、各画素に対してフィルタされた下境界画像及び前記上境界画像の対応画素の最小を決定することをさらに含む、請求項４に記載の方法。
【請求項６】
前記第１画像を生成することは、
前記受け取った画像と前記平滑化フィルタプロセスから出力された画像との間の対応画素の差を決定することと、
各画素に対して前記差を前記しきい画像の対応画素により除算することとを含む、請求項２に記載の方法。
【請求項７】
前記第２画像を生成することは、各画素に対して前記平滑化フィルタプロセスの出力を、逆しきい画像の対応画素により除算することを含む、請求項６に記載の方法。
【請求項８】
前記第１画像及び前記第２画像は、前記第１プロジェクタ及び前記第２プロジェクタの照明限度内にある画素値を有する、請求項１に記載の方法。
【請求項９】
前記下境界画像は、前記第１プロジェクタ又は前記第２プロジェクタの照度限界を超える画素値を表す、請求項１に記載の方法。
【請求項１０】
前記上境界画像は、前記第１プロジェクタ又は前記第２プロジェクタが前記表面に寄与し得る最大画素値を表す、請求項１に記載の方法。
【請求項１１】
前記下境界画像は、
（ｉ）前記受け取った画像と前記しきい画像との間の各対応画素に対して最大画素値を決定することと、
（ｉｉ）各画素に対する前記最大画素値から対応しきい値を減算することにより差値を決定することと
を含み、
前記上境界画像を決定することは、前記受け取った画像と逆しきい画像との間の各対応画素に対して最小画素値を決定することを含む、請求項１に記載の方法。
【請求項１２】
前記受け取った画像のガンマ復号化を行うことをさらに含む、請求項１に記載の方法。
【請求項１３】
前記第１画像を投影する前に前記第１画像のガンマ符号化を行うことと、
前記第２画像を投影する前に前記第２画像のガンマ符号化を行うことと
をさらに含む、請求項１に記載の方法。
【請求項１４】
前記第１画像を投影すること及び前記第２画像を投影することの前に前記第１画像又は前記第２画像の少なくとも一方のワーピングを行うことをさらに含む、請求項１に記載の方法。
【請求項１５】
前記第２プロジェクタにより前記第２画像を前記表面に投影することは、前記第２画像を、前記第１プロジェクタにより投影される前記第１画像と重ね合わせかつ幾何学的に整合させることを含む、請求項１に記載の方法。
【請求項１６】
受け取った画像及びしきい画像から第１画像及び第２画像を生成する方法であって、
前記受け取った画像及び前記しきい画像のそれぞれの画素値に基づいて上境界画像及び下境界画像を決定することと、
前記上境界画像、前記下境界画像、前記受け取った画像、及び前記しきい画像と組み合わせて平滑化フィルタプロセスを使用することにより前記第１画像及び前記第２画像を生成することであって、前記第１画像は、前記平滑化フィルタプロセスに基づいて前記第２画像とは異なる空間周波数を有することと、
前記第１画像を第１プロジェクタにより表面に投影することと、
前記第２画像を第２プロジェクタにより前記表面に投影することと、
前記第１プロジェクタと前記第２プロジェクタとの照明をバランスさせることであって、前記第１画像及び前記第２画像は、少なくとも部分的に倍率による影響を受け、並びに前記第１プロジェクタ及び前記第２プロジェクタの照明限度内にある画素値を有することと
を含む方法。
【請求項１７】
前記倍率は前記平滑化フィルタプロセスの中でもたらされる、請求項１６に記載の方法。
【請求項１８】
前記平滑化フィルタプロセスは、
（ｉ）前記上境界画像及び前記下境界画像を受け取ることと、
（ｉｉ）前記下境界画像の各画素へのぼかし操作の前に膨張操作を行うことと
を含む、請求項１６に記載の方法。
【請求項１９】
前記平滑化フィルタプロセスは、各画素に対してフィルタされた下境界画像及び前記上境界画像の対応画素の最小を決定することをさらに含む、請求項１６に記載の方法。
【請求項２０】
前記第１画像を生成することは、前記受け取った画像と前記平滑化フィルタプロセスから出力された画像との間の対応画素の差を決定することと、各画素に対して前記しきい画像の対応画素により除算することとを含む、請求項１６に記載の方法。
【請求項２１】
前記第２画像を生成することは、各画素に対して前記平滑化フィルタプロセスの出力を、逆しきい画像の対応画素により除算することを含む、請求項２０に記載の方法。
【請求項２２】
画像投影システムであって、
前記第１画像を表面に投影する第１プロジェクタと、
前記投影の表面に前記第１画像をオーバレイするべく前記第１画像とは異なる空間周波数を有する第２画像を投影する第２プロジェクタと、
受け取った画像及びしきい画像それぞれの画素値に基づいて上境界画像及び下境界画像を決定することと、
前記上境界画像、前記下境界画像、前記受け取った画像、及び前記しきい画像と組み合わせて平滑化フィルタプロセスを使用することにより前記第１画像及び前記第２画像を生成することであって、前記第１画像は、前記平滑化フィルタプロセスに基づいて前記第２画像とは異なる空間周波数を有するように構成されることと、
前記第１プロジェクタと前記第２プロジェクタとの照明をバランスさせることであって、前記第１画像及び前記第２画像は、少なくとも部分的に倍率による影響を受け、並びに前記第１プロジェクタ及び前記第２プロジェクタの照明限度内にある画素値を有することと
を行うべく構成される画像処理回路と
を含む画像投影システム。
【請求項２３】
受け取った画像及びしきい画像から第１画像及び第２画像を生成する方法であって、
前記受け取った画像、前記しきい画像、倍率、及び平滑化フィルタプロセスを使用して前記第１画像及び前記第２画像を生成することであって、前記第１画像は前記第２画像とは異なる空間周波数を有し、前記第１画像を第１プロジェクタにより表面に投影することと、
前記第２画像を第２プロジェクタにより前記表面に投影することと、
前記第１プロジェクタと前記第２プロジェクタとの照明をバランスさせることであって、前記第１画像及び前記第２画像は、少なくとも部分的に倍率による影響を受けることと
を含む方法。
【請求項２４】
前記受け取った画像及び前記しきい画像それぞれの画素値に基づいて上境界画像及び下境界画像を決定することであって、前記第１画像及び前記第２画像を生成することが、前記上境界画像及び前記下境界画像を使用することをさらに含む、請求項２３に記載の方法。
【請求項２５】
前記倍率は前記平滑化フィルタプロセスの中でもたらされる、請求項２３に記載の方法。
【請求項２６】
前記平滑化フィルタプロセスは、
（ｉ）前記上境界画像及び前記下境界画像を受け取ることと、
（ｉｉ）前記下境界画像の各画素へのぼかし操作の前に膨張操作を行うことと
を含む、請求項２３に記載の方法。
【請求項２７】
前記受け取った画像のガンマ復号化を行うことをさらに含む、請求項２３に記載の方法。
【請求項２８】
前記第１画像を投影する前に前記第１画像のガンマ符号化を行うことと、
前記第２画像を投影する前に前記第２画像のガンマ符号化を行うことと
をさらに含む、請求項２３に記載の方法。
【請求項２９】
前記第１画像を投影することと及び前記第２画像を投影することの前に前記第１画像又は前記第２画像の少なくとも一方のワーピングを行うことをさらに含む、請求項２３に記載の方法。
【請求項３０】
前記第２プロジェクタにより前記第２画像を前記表面に投影することは、前記第２画像を、前記第１プロジェクタにより投影される前記第１画像と重ね合わせかつ幾何学的に整合させることを含む、請求項２３に記載の方法。